(57)【要約】      （修正有）【課題】抵抗値を減少させずに投影面積が小さい抵抗器及びこれに必要な抵抗素子を提供する。【解決手段】柱状の芯３と、芯３に巻回される抵抗線２とを有し、芯３は、芯３の軸線に垂直な断面が長方向と短方向とを備える抵抗素子１及びこの抵抗素子１を備える抵抗器。投影面積を減少させるために芯３の長さを短くして芯３の断面積を大きくした場合でも、芯３の外周に巻回される抵抗線の長さを減少させないで投影面積を減少させることができる。前記断面は楕円形とすることができる。抵抗線２の両端部の各々に一体化されるキャップ４ｃを備え、芯３を、抵抗線２を巻き付ける巻付部３ａと、巻付部３ａの両端面の各々に設けられてキャップ４ｃが装着されるキャップ装着部３ｂとを備え、キャップ装着部３ｂの端面の形状を、巻付部３ａの端面の形状と独立して形成するようにしてもよい。【選択図】図１
2015095529.tif 000002
【特許請求の範囲】
【請求項１】
柱状の芯と、該芯に巻回される抵抗線とを有し、
前記芯は、該芯の軸線に垂直な断面が長方向と短方向とを備えることを特徴とする抵抗素子。
【請求項２】
前記断面は、楕円形であることを特徴とする請求項１に記載の抵抗素子。
【請求項３】
前記抵抗線の両端部の各々に一体化されるキャップを備え、前記芯は、前記抵抗線を巻き付ける巻付部と、該巻付部の両端面の各々に設けられて前記キャップが装着されるキャップ装着部を備え、
前記キャップ装着部の端面の形状は、前記巻付部の端面の形状と独立して形成されることを特徴とする請求項１又は２に記載の抵抗素子。
【請求項４】
前記芯は、前記巻付部の両端面の各々から前記キャップに隣接して突出する突出部を備えることを特徴とする請求項３に記載の抵抗素子。
【請求項５】
請求項１乃至４のいずれかに記載の抵抗素子を備えることを特徴とする抵抗器。
【請求項６】
該抵抗器は、
前記抵抗素子のキャップに一体化された端子板と、
前記抵抗素子を収容する溝を有する絶縁ケースとを備え、
前記抵抗素子を前記溝に収容した状態で該溝の中にセメントを充填して硬化させたセメント抵抗器であることを特徴とする請求項５に記載の抵抗器。
【発明の詳細な説明】
【技術分野】
【０００１】
本発明は、柱状の芯に巻回される抵抗線を備える抵抗素子、及びこの抵抗素子をセメントで封入した抵抗器等に関する。
【背景技術】
【０００２】
抵抗器は広く一般的に用いられており、例えば、特許文献１には、図４〜図６に示すように、円柱状の芯２２と、芯２２に巻回される抵抗線２３と、芯２２の端部に圧入されるキャップ部２４ａを有する端子板２４とを備える抵抗素子２１を、溝２６を形成した磁器ケース２５に収容し、セメント３２を充填して硬化させたセメント抵抗器３１が記載されている。
【先行技術文献】
【特許文献】
【０００３】
【特許文献１】特開２０１１−８２３２７号公報
【発明の開示】
【発明が解決しようとする課題】
【０００４】
しかし、上記特許文献１に記載の抵抗器は、投影面積が大きいために設置スペースが大きくなるという問題があった。
【０００５】
そこで、本発明は、上記従来技術における問題点に鑑みてなされたものであって、同じ抵抗線を使用し抵抗値を減少させずに、また製造コストの上昇を招くことなく、投影面積の小さい抵抗器を提供することを目的とする。
【課題を解決するための手段】
【０００６】
上記目的を達成するため、本発明者らは、従来１つの抵抗素子を備える抵抗器の抵抗値を、２つの抵抗素子を直列に配置して確保し、これらの抵抗素子を例えば上下方向に２段に配置することで、抵抗値を減少させずに抵抗器の投影面積を小さくする方法を考案した。
【０００７】
しかし、この方法では抵抗素子の数が増加することで、部品点数及び接続箇所が増加し、抵抗器を製造するにあたって工数が増加して製造コストが上昇するという問題がある。
【０００８】
そこで、本発明者らは、さらに鋭意研究を重ねた結果、抵抗素子の芯の横断面積を可能な限り小さくすることで上記目的を達成し得ることを見出し、本発明をなすに至った。すなわち、本発明に係る抵抗素子は、柱状の芯と、該芯に巻回される抵抗線とを有し、前記芯は、該芯の軸線に垂直な断面が長方向と短方向とを備えることを特徴とする。
【０００９】
本発明によれば、芯の軸線に垂直な断面が長方向と短方向とを備える形状とすることで、投影面積を減少させるために柱状の芯の長さを短くして断面積を大きくした場合でも、芯の外周に巻回される抵抗線の長さを減少させないで、すなわち抵抗器の抵抗値を維持しながら、抵抗器の投影面積を減少させることができる。これによって、抵抗素子の数を増加させずに抵抗器を製造することができ、製造コストの上昇を回避することができる。
【００１０】
前記抵抗素子において、前記断面を楕円形とすることができ、楕円形は直線部分が存在しないため、芯に抵抗線を巻く際に、抵抗線の張力を一定に保ちながら巻くことができ、張力を強くしすぎることによって抵抗線を破損させたり抵抗素子の機能を低下させることなく抵抗器の投影面積を減少させることができる。
【００１１】
また、前記抵抗素子は、前記抵抗線の両端部の各々に一体化されるキャップを備え、前記芯は、前記抵抗線を巻き付ける巻付部と、該巻付部の両端面の各々に設けられて前記キャップが装着されるキャップ装着部を備え、前記キャップ装着部の端面の形状を前記巻付部の端面の形状と独立して形成することができる。これにより、抵抗素子の抵抗値が異なることで巻付部の径が異なる場合であっても、キャップ装着部の径を共通の値とすることで、異なる抵抗素子間でキャップを共用することができ、製造コストの低減に繋がる。
【００１２】
また、前記芯は、前記巻付部の両端面の各々から前記キャップに隣接して突出する突出部を備えることができ、この突出部にキャップから導出された抵抗線を巻き始めることで、抵抗線の巻き付け角が大きくなるのを回避することができるため、抵抗線に負荷がかかりにくくなり、抵抗線の破断を防止することができる。
【００１３】
また、本発明の抵抗器は、上記いずれかの抵抗素子を備えるものであって、抵抗値を維持しながら投影面積の小さな抵抗器を提供することができる。
【００１４】
さらに、上記抵抗器は、前記抵抗素子のキャップに一体化された端子板と、前記抵抗素子を収容する溝を有する絶縁ケースとを備え、前記抵抗素子を前記溝に収容した状態で該溝の中にセメントを充填して硬化させたセメント抵抗器とすることができ、抵抗値を維持しながら投影面積の小さなセメント抵抗器を提供することができる。
【発明の効果】
【００１５】
以上のように、本発明によれば、抵抗値を減少させずに投影面積が小さい抵抗器、及びこれに必要な抵抗素子を提供することができる。
【図面の簡単な説明】
【００１６】
【図１】本発明に係る抵抗素子の一実施の形態を示す図であって、（ａ）は正面図、（ｂ）は（ａ）のＸ−Ｘ線断面図である。
【図２】図１の抵抗素子を備える抵抗器を示す図であって、抵抗素子をセメントで封止する前の状態を示す上面図である。
【図３】図２の抵抗器の抵抗素子をセメントで封止した状態を示す上面図である。
【図４】従来の抵抗素子の一例を示す斜視図である。
【図５】従来の抵抗器の磁器ケースの一例を示す斜視図である。
【図６】従来のセメント抵抗器の一例を示す斜視図である。
【発明を実施するための形態】
【００１７】
次に、本発明を実施するための形態について、図面を参照しながら説明する。尚、以下の説明においては、本発明に係る抵抗素子をセメント抵抗器に適用した場合を例にとって説明する。
【００１８】
図１は、本発明に係る抵抗素子１の一実施の形態を示し、この抵抗素子１は、柱状の芯３と、芯３に巻回される抵抗線２と、芯３に装着される端子板４とで構成される。
【００１９】
芯３はセラミックス等の絶縁体からなり、抵抗線２を巻き付ける巻付部３ａと、端子板４のキャップ４ｃが装着されるキャップ装着部３ｂと、巻付部３ａの両端面の各々からキャップ４ｃに隣接して突出する突出部３ｃとを備える。
【００２０】
巻付部３ａの軸線に垂直な断面、すなわち横断面は楕円形であり、楕円形とすることで、横断面を円形とした場合に比較し、芯３の横断面の外周長さを減少させないで、すなわち抵抗器の抵抗値を維持しながら、芯３の投影面積（図１（ｂ）において芯３を上方から下方に投影した場合の面積）を減少させることができる。
【００２１】
キャップ装着部３ｂは、巻付部３ａの両端面の各々から外側に突出する円柱状に形成され、キャップ４ｃが圧入される。
【００２２】
突出部３ｃは、キャップ装着部３ｂの一部（図１における上面部）を覆うように巻付部３ａの両端面の各々から外側に突出し、キャップ４ｃから導出された抵抗線２を巻付部３ａに巻き付ける際に、この突出部３ｃを経由して巻き付けることで、抵抗線２の巻き付け角が大きくなるのを回避するために備えられ、これによって抵抗線２に負荷がかかりにくくなり、抵抗線２の破断を防止することができる。
【００２３】
端子板４は、帯板状の端子４ａと、端子４ａの端部に形成されたキャップ４ｃとで構成され、キャップ４ｃに抵抗線２の一端が接合される。
【００２４】
次に、上記抵抗素子１を備えるセメント抵抗器について、図２及び図３を参照しながら説明する。
【００２５】
このセメント抵抗器１１は、図２に示すように、磁器ケース１２に抵抗素子１を収容した後、図３に示すように、抵抗素子１をセメントで封止して製造される。
【００２６】
磁器ケース１２は、上方に開口する溝１２ａを有する箱状に形成され、溝１２ａに端子板４の端子４ａの部分を除く抵抗素子１全体が収容される。上述のように芯３の投影面積を減少させたことで、磁器ケース１２の投影面積（図２及び図３に描かれている磁器ケース１２の面積）も減少する。
【００２７】
図３に示すように、図２に示した抵抗素子１をセメント１３で封止してセメント抵抗器１１が完成する。このセメント抵抗器１１では、セメント１３から端子板４の一対の端子４ａが突出し、これらの端子４ａを相手方の雌端子等に係合させて使用する。
【００２８】
以上のように、本実施の形態では、抵抗素子１の芯３を楕円形にすることで、磁器ケース１２の投影面積を減少させ、抵抗値を減少させずに投影面積の小さい抵抗器１１を提供することができる。
【００２９】
尚、上記実施の形態では、芯３の巻付部３ａの横断面を楕円形とし、楕円形は直線部分が存在しないため、抵抗線２の張力を一定に保ちながら巻き付けることができて好ましいが、巻付部３ａの横断面は、円形以外の長方向と短方向とを備える形状であればよく、例えば、長丸形状、エッジ部を丸めた菱形、長方形、半円形等にすることができる。また、これらの形状の断面を基本として、断面を一部切り欠いたようなものであってもよい。但し、断面積を小さくし過ぎると、使用時のセメント抵抗器１１の内部から外部への放熱が不十分になる虞があるため留意する必要がある。
【００３０】
また、上記実施の形態では、抵抗素子１をセメント抵抗器１１に適用した場合を例示したが、それ以外の抵抗器に用いて同様の作用効果を奏することもできる。
【００３１】
さらに、一般的なセメント抵抗器では、芯の巻付部の両端部に端子板のキャップを直接圧入固定するため、抵抗器の抵抗値が変わると芯の円形横断面の直径が変化し、それに応じて異なる内径のキャップを備えた端子板を用意する必要がある。しかし、本発明では、セメント抵抗器１１の抵抗値が変化して芯３の巻付部３ａの横断面の形状が変化しても、キャップ装着部３ｂの形状を一定にすることで同一の内径のキャップを備えた端子板を用意するだけで済み、製造コストを低減することができる。
【００３２】
尚、上記実施の形態では、芯３に突出部３ｃを設けて抵抗線２の巻き付け角が大きくなるのを回避したが、突出部３ｃを設けずに直接巻付部３ａに抵抗線２を巻き付けてもよい。
【符号の説明】
【００３３】
１  抵抗素子
２  抵抗線
３  芯
３ａ  巻付部
３ｂ  キャップ装着部
３ｃ  突出部
４  端子板
４ａ  端子
４ｃ  キャップ
１１  セメント抵抗器
１２  磁器ケース
１２ａ  溝
１２ｂ  上面
１３  セメント
【図２】
2015095529.tif 000003
【図３】
2015095529.tif 000004
【図４】
2015095529.tif 000005
【図５】
2015095529.tif 000006
【図６】
2015095529.tif 000007
【図１】
2015095529.tif 000008